(57)【要約】【課題】ケーシングを小型化できる空気調和機の室内機を提供する。【解決手段】空気調和機の室内機は、ケーシング(１,２,３)の第１壁部(１１)、第３壁部(１３)および第４壁部(１４)と遠心ファン(３０)との間に配置された熱交換器(４０)とを備える。熱交換器(４０)は、ケーシング(１,２,３)の第３壁部(１３)側に位置して、ケーシング(１,２,３)の第１壁部(１１)側から第２壁部(１２)側に向かって延在する第１延在部(４２)と、ケーシング(１,２,３)の第４壁部(１４)側に位置して、ケーシング(１,２,３)の第１壁部(１１)側から第２壁部(１２)側に向かって延在する第２延在部(４３)とを有する。熱交換器(４０)の第２延在部(４３)の先端よりも、熱交換器(４０)の第１延在部(４２)の先端が、ケーシング(１,２,３)の第２壁部(１２)側に位置する。【選択図】図５
2018197636.tif 000002
【特許請求の範囲】
【請求項１】
互いに対向する第１，第２壁部(１１,１２,２１２)と、上記第１壁部(１１)と上記第２壁部(１２,２１２)との間に設けられて互いに対向する第３，第４壁部(１３,１４,２１４)とを有するケーシング(１,２,３,２０１)と、
上記ケーシング(１,２,３,２０１)内に配置された遠心ファン(３０)と、
上記ケーシング(１,２,３,２０１)の上記第１壁部(１１)、第３壁部(１３)および第４壁部(１４,２１４)と上記遠心ファン(３０)との間に配置された熱交換器(４０)と
を備え、
上記熱交換器(４０)は、
上記ケーシング(１,２,３,２０１)の上記第３壁部(１３)側に位置して、上記ケーシング(１,２,３,２０１)の上記第１壁部(１１)側から上記第２壁部(１２,２１２)側に向かって延在する第１延在部(４２)と、
上記ケーシング(１,２,３,２０１)の上記第４壁部(１４,２１４)側に位置して、上記ケーシング(１,２,３,２０１)の上記第１壁部(１１)側から上記第２壁部(１２,２１２)側に向かって延在する第２延在部(４３)と
を有し、
上記熱交換器(４０)の上記第２延在部(４３)の先端よりも、上記熱交換器(４０)の上記第１延在部(４２)の先端が、上記ケーシング(１,２,３,２０１)の上記第２壁部(１２,２１２)側に位置することを特徴とする空気調和機の室内機。
【請求項２】
請求項１に記載の空気調和機の室内機において、
上記ケーシング(１,２,３)の上記第２壁部(１２)における上記第２延在部(４３)側の部分(１２ｂ)に、冷媒配管（８５,８６）が接続される冷媒配管接続部(５,６)が設けられていることを特徴とする空気調和機の室内機。
【請求項３】
請求項１に記載の空気調和機の室内機において、
上記ケーシング(２,３,２０１)の上記第４壁部(２１４)における上記第２延在部(４３)の先端側の部分(２１４ｂ)に、冷媒配管（８５,８６）が接続される冷媒配管接続部(５,６)が設けられていることを特徴とする空気調和機の室内機。
【請求項４】
請求項１から３までのいずれか一項に記載の空気調和機の室内機において、
上記ケーシング(１,２,３,２０１)の上記第２壁部(１２,２１２)における上記第１延在部(４２)側の部分と、上記熱交換器(４０)の上記第１延在部(４２)の先端との間に、ドレンポンプ(７０)が配置されていることを特徴とする空気調和機の室内機。
【請求項５】
請求項１から４までのいずれか一項に記載の空気調和機の室内機において、
上記熱交換器(４０)と一緒に遠心ファン(３０)を囲むと共に、上記熱交換器(４０)の上記第１延在部(４２)の先端と上記熱交換器(４０)の上記第２延在部(４３)の先端とを連結する仕切部(５０)を備えることを特徴とする空気調和機の室内機。
【発明の詳細な説明】
【技術分野】
【０００１】
この発明は、空気調和機の室内機に関する。
【背景技術】
【０００２】
従来、空気調和機の室内機としては、ケーシング内に配置され、平面視形状がコの字形状である熱交換器を備えたものがある(例えば特開２０１５−８１６９２号公報(特許文献１)参照)。
【０００３】
より詳しくは、上記熱交換器は、互いに平行に延在する第１,第２熱交換部を有する。この第１,第２熱交換部の各先端は、ケーシングの４つの壁部のうちの一つに対向する。この一つの壁部と第１熱交換部の先端との間の距離は、上記壁部と第２熱交換部の先端との間の距離と同じである。別の言い方をすると、上記壁部は、第１,第２熱交換部の各先端との間の距離が一定となるように、上記延在方向と直交する方向に延在している。
【先行技術文献】
【特許文献】
【０００４】
【特許文献１】特開２０１５−８１６９２号公報
【発明の概要】
【発明が解決しようとする課題】
【０００５】
上記従来の空気調和機の室内機では、上記ケーシングの一つの壁部は、第１,第２熱交換部の両先端との間の距離が一定となるように形成されるため、ケーシングにおいて上記壁部とは反対側の他の壁部との距離を縮めることができず、ケーシングを小型化できないとういう問題あった。
【０００６】
そこで、この発明の課題は、ケーシングを小型化できる空気調和機の室内機を提供することにある。
【課題を解決するための手段】
【０００７】
この発明の一態様に係る空気調和機の室内機は、
互いに対向する第１，第２壁部と、上記第１壁部と上記第２壁部との間に設けられて互いに対向する第３，第４壁部とを有するケーシングと、
上記ケーシング内に配置された遠心ファンと、
上記ケーシングの上記第１壁部、第３壁部および第４壁部と上記遠心ファンとの間に配置された熱交換器と
を備え、
上記熱交換器は、
上記ケーシングの上記第３壁部側に位置して、上記ケーシングの上記第１壁部側から上記第２壁部側に向かって延在する第１延在部と、
上記ケーシングの上記第４壁部側に位置して、上記ケーシングの上記第１壁部側から上記第２壁部側に向かって延在する第２延在部と
を有し、
上記熱交換器の上記第２延在部の先端よりも、上記熱交換器の上記第１延在部の先端が、上記ケーシングの上記第２壁部側に位置する。
【０００８】
上記構成によれば、上記熱交換器の第２延在部の先端よりも、熱交換器の第１延在部の先端が、ケーシングの第２壁部側に位置するので、熱交換器の第１延在部の先端よりも、熱交換器の第２延在部の先端が、ケーシングの第１壁部側に位置する。したがって、例えば、上記ケーシングの第２壁部における第２延在部側の部分を、ケーシングの第１壁部側に向かって凹ませることができる。また、例えば、上記ケーシングの第４壁部における第２延在部の先端側の部分を、ケーシングの第１壁部側に向かって凹ませることができる。したがって、上記ケーシングを小型化することができる。
【０００９】
一実施形態の空気調和機の室内機では、
上記ケーシングの上記第２壁部における上記第２延在部側の部分に、冷媒配管が接続される冷媒配管接続部が設けられている。
【００１０】
上記実施形態によれば、上記ケーシングの第２壁部における第２延在部側の部分は、ケーシングの第１壁部側に向かって凹ませてことができる。したがって、上記ケーシングの第２壁部における第２延在部側の部分に、冷媒配管が接続される冷媒配管接続部を設けることにより、ケーシングの第２壁部の他の部分よりも、冷媒配管接続部が外側（第１壁部とは反対側）に大きく突出するのを防ぐことができる。
【００１１】
一実施形態の空気調和機の室内機では、
上記ケーシングの上記第４壁部における上記第２延在部の先端側の部分に、冷媒配管が接続される冷媒配管接続部が設けられている。
【００１２】
上記実施形態によれば、上記ケーシングの第４壁部における第２延在部の先端側の部分は、ケーシングの第３壁部側に向かって凹ませることができる。したがって、上記ケーシングの第４壁部における第２延在部の先端側の部分に、冷媒配管が接続される冷媒配管接続部が設けることにより、ケーシングの第４壁部の他の部分よりも、冷媒配管接続部が外側（第３壁部とは反対側）に大きく突出するのを防ぐことができる。
【００１３】
一実施形態の空気調和機の室内機では、
上記ケーシングの上記第２壁部における上記第１延在部側の部分と、上記熱交換器の上記第１延在部の先端との間に、ドレンポンプが配置されている。
【００１４】
上記実施形態によれば、上記ケーシングの第２壁部における第１延在部側の部分と、熱交換器の第１延在部の先端との間に、ドレンポンプを配置することにより、ドレンポンプをケーシング外に配置しなくてもよい。したがって、上記ケーシングの周囲の必要スペースの増大を防ぐことができる。
【００１５】
一実施形態の空気調和機の室内機は、
上記熱交換器と一緒に遠心ファンを囲むと共に、上記熱交換器の上記第１延在部の先端と上記熱交換器の上記第２延在部の先端とを連結する仕切部を備える。
【００１６】
上記実施形態によれば、上記熱交換器の第１延在部の先端と熱交換器の第２延在部の先端とを仕切部で連結することにより、遠心ファンの吹出空気を第１,第２延在部へ流して、遠心ファンの吹出空気と第１,第２延在部との熱交換効率を上げることができる。
【発明の効果】
【００１７】
この発明は、ケーシングを小型化できる空気調和機の室内機を提供できる。
【図面の簡単な説明】
【００１８】
【図１】この発明の第１実施形態の空気調和機の室内機の斜視図である。
【図２】上記室内機の他の斜視図である。
【図３】上記室内機の下面図である。
【図４】図３のIV−IV線矢視の断面図である。
【図５】上記室内機からパネルやドレンパンなどを外した状態を示す下面図である。
【図６】この発明の第２実施形態の空気調和機の室内機からパネルやドレンパンなどを外した状態を示す模式下面図である。
【発明を実施するための形態】
【００１９】
以下、この発明の空気調和機の室内機を図示の実施の形態により詳細に説明する。
【００２０】
〔第１実施形態〕
図１は、この発明の第１実施形態の空気調和機の室内機の斜め下方から見た斜視図を示している。また、図２は、上記室内機を斜め上方から見た斜視図を示している。
【００２１】
この第１実施形態の室内機は、天井埋め込み型の室内機であって、図１，図２に示すように、ケーシング本体１と、このケーシング本体１の下側に取り付けられた矩形状のパネル２と、このパネル２に着脱可能に取り付けられたグリル３とを備えている。なお、ケーシング本体１、パネル２およびグリル３は、ケーシングの一例を構成している。
【００２２】
上記ケーシング本体１の側壁からは、配管接続部５,６およびドレンソケット７が突出している。この配管接続部５,６には、ケーシング本体１の外部側から冷媒配管(図示せず)が接続される。また、ドレンソケット７には、ケーシング本体１の外部側からドレンホース(図示せず)が接続される。
【００２３】
また、上記ケーシング本体１の側壁には、配管接続部５,６およびドレンソケット７と隣り合うように、電装品部８が設けられている。
【００２４】
上記パネル２では、グリル３の長手方向の一方側に位置するように、かつ、パネル２の外縁の短辺に沿うように、吹出口１０が設けられている。また、パネル２には、吹出口１０を開閉するフラップ２０が回動可能に取り付けられている。なお、図１では、フラップ２０により吹出口１０が閉じられた状態が示されている。
【００２５】
また、この第１実施形態の室内機は、吊り金具１０１，１０２，１０３，１０４（吊り金具１０４は図５に示す）を備えている。この吊り金具１０１，１０２，１０３，１０４は、天井裏の例えば躯体から垂下する吊りボルト（図示せず）に固定される。これにより、上記室内機は天井から吊り下げられた状態になる。
【００２６】
図３は上記室内機の下面図を示している。この図３において、図１，図２の構成部と同一の構成部は、図１，図２の構成部の参照番号と同一の参照番号が付されている。
【００２７】
吹出口１０は、下から見た形状がコの字形状を呈する開口である。より詳しくは、吹出口１０は、パネル２の外縁のうちの一つの短辺と、パネル２の外縁のうちの二つの長辺とに沿うような形状を有している。また、フラップ２０は、吹出口１０の閉鎖時に下から見た形状がコの字形状を呈するように形成されている。
【００２８】
また、ケーシング本体１（図１，図２に示す）の中央部分には吸込口１ａが設けられている。この吸込口１ａとグリル３との間には、フィルタ４（図４に示す）が配置されている。
【００２９】
図４は、図３のIV−IV線から見た断面図を示している。この図４において、図１〜図３の構成部と同一の構成部は、図１〜図３の構成部の参照番号と同一の参照番号が付されている。
【００３０】
ケーシング本体１内にはターボファン３０が配置されている。このターボファン３０は、モータ３１によって駆動されて、所定の回転方向に回転する。ここで、ターボファン３０を下から見た場合、上記所定の回転方向は、反時計回りの方向と一致する。なお、ターボファン３０は遠心ファンの一例である。
【００３１】
ケーシング本体１の吸込口１ａとターボファン３０との間には、ベルマウス３２が配置されている。ターボファン３０は、ベルマウス３２内の空間を介して、室内空気を吸い込む。
【００３２】
また、ケーシング本体１内には、熱交換器４０と仕切板５０がターボファン３０の周囲に配置されている。ターボファン３０の吹出空気は、熱交換器４０を経由した後、吹出口１０へ向かって流れる。このとき、仕切板５０はターボファン３０の吹出空気を熱交換器４０に案内する。なお、仕切板５０は仕切部の一例である。また、仕切部はケーシング本体１の一部からなってもよい。
【００３３】
さらに、ケーシング本体１内には、ドレンパン６０が熱交換器４０の下側から仕切板５０の下側に渡って配置されている。これにより、熱交換器４０および仕切板５０で生じた結露水をドレンパン６０で受けることが可能になっている。
【００３４】
また、ケーシング本体１内には、ターボファン３０からの吹出空気をパネル２の吹出口１０に案内する通風路Ｐが形成されている。
【００３５】
図５は、パネル２、ドレンパン６０などを外した状態の室内機の下面図を示している。
【００３６】
ケーシング本体１は、吹出口１０側の第１壁部１１と、この第１壁部１１に対向する第２壁部１２と、第１壁部１１と第２壁部１２との間に設けられて互いに対向する第３，第４壁部１３，１４とを有する。この第３，第４壁部１３，１４の吹出口１０側の端は、第１壁部１１に連なる。一方、第３，第４壁部１３，１４において吹出口１０とは反対側の端は、第２壁部１２に連なる。
【００３７】
また、第２壁部１２は、第３壁部１３側の部分１２ａよりも、第４壁部１４側の部分１２ｂの方が、第１壁部１１側に位置するように、形状が定められている。すなわち、第２壁部１２において配管接続部５，６が設けられている部分１２ｂは、第１壁部１１側に凹んでいる。また、部分１２ａと部分１２ｂの間の中間部１２は、部分１２ａ，１２ｂが延在する方向に対して傾斜している。なお、第２壁部１２の第３壁部１３側の部分１２ａは、ケーシングの第２壁部における第１延在部側の部分の一例である。また、第２壁部１２の第４壁部１４側の部分１２ｂは、ケーシングの第２壁部における第２延在部側の部分の一例である。
【００３８】
熱交換器４０は、ケーシング本体１の第１壁部１１、第３壁部１３および第４壁部１４とターボファン３０との間に配置されている。
【００３９】
より詳しくは、熱交換器４０は、第１熱交換部４１、第２熱交換部４２および第３熱交換部４３を有する。この第１熱交換部４１、第２熱交換部４２および第３熱交換部４３は、互いに一体に形成されている。なお、第２熱交換部４２は第１延在部の一例である。また、第３熱交換部４３は第２延在部の一例である。また、第１熱交換部４１、第２熱交換部４２および第３熱交換部４３は、別体に形成されて、例えば互いに間隔をあけて配置されてもよい。
【００４０】
第１熱交換部４１は、第１壁部１１に沿うように形成され、ケーシング本体１の第１壁部１１に対向する。
【００４１】
第２熱交換部４２は、ケーシング本体１の第３壁部１３に対向し、第１壁部１１側から第２壁部１２側に向かって延在する。この第２熱交換部４２は、第１熱交換部４１に対してターボファン３０の回転方向の上流側に位置する。また、第２熱交換部４２の先端と、第２壁部１２の第３壁部１３側の部分との間には、ドレンポンプ７０が配置されている。
【００４２】
ドレンポンプ７０は、ドレンパン６０に溜まった結露水などを吸い込み、この吸い込んだ結露水などをドレンソケット７側に吐出する。すなわち、ドレンポンプ７０は、ケーシング本体１内の結露水などを、ケーシング本体１外に排出するためのポンプである。
【００４３】
第３熱交換部４３は、ケーシング本体１の第４壁部１４に対向し、第１壁部１１側から第２壁部１２側に向かって延在する。この第３熱交換部４３は、第１熱交換部４１に対してターボファン３０の回転方向の下流側に位置する。この第３熱交換部４３の先端よりも、第２熱交換部４２の先端の方が第２壁部１２側に位置する。別の言い方をすると、吹出口１０から比較的遠い場所には、第２熱交換部４２の先端が配置される一方、吹出口１０から比較的近い場所には、第３熱交換部４３の先端が配置される。
【００４４】
また、第３熱交換部４３の先端と配管接続部５とは、冷媒配管８５を介して互いに接続されている。また、第３熱交換部４３の先端と配管接続部６とは、冷媒配管８６を介して互いに接続されている。
【００４５】
配管接続部５，６は、ケーシング本体１内の冷媒配管８５，８６とケーシング本体１外の冷媒配管とを連結する。この配管接続部５，６により、熱交換器４０内に冷媒を流すことが可能となっている。
【００４６】
また、第２熱交換部４２と第３熱交換部４３の間の距離は、吹出口１０から離れるのに従って長くなる。すなわち、熱交換器４０は、平面視において、コの字形状を呈するように形成されている。なお、第２熱交換部４２と第３熱交換部４３の間の距離は一定または略一定としてもよい。また、熱交換器４０は、平面視において、例えば、Ｖの字形状、円弧形状などを呈するように形成されてもよい。
【００４７】
仕切板５０は熱交換器４０と一緒にターボファン３０を囲んでいる。この仕切板５０は、熱交換器４０の第２熱交換部４２の先端と熱交換器４０の第３熱交換部４３の先端とを連結する。
【００４８】
上記構成の室内機によれば、熱交換器４０の第３熱交換部４３の先端よりも、熱交換器４０の第２熱交換部４２の先端が、ケーシング本体１の第２壁部１２側に位置するので、熱交換器４０の第２熱交換部４２の先端よりも、熱交換器４０の第３熱交換部４３の先端が、ケーシング本体１の第１壁部１１側に位置する。これにより、ケーシング本体１の第２壁部１２における第４壁部１４側の部分１２ｂを、ケーシング本体１の第１壁部１１に向かって凹ませて、ケーシング本体１の第２壁部１２の形状を屈曲板形状にすることができている。したがって、上記ケーシング本体１を小型化することができる。
【００４９】
また、ケーシング本体１の第２壁部１２における第４壁部１４側の部分１２ｂは、ケーシング本体１の第１壁部１１に向かって凹んでいるので、製品サイズの大型化を防ぐことができる。
【００５０】
また、ケーシング本体１の第２壁部１２における第４壁部１４側の部分１２ｂに、冷媒配管接続部５，６を設けるので、ケーシング本体１の外側で部分１２ｂに隣り合う空間に冷媒配管接続部５，６の略全部を収容することができる。
【００５１】
また、ケーシング本体１の外側から冷媒配管接続部５，６に冷媒配管を接続する場合、ケーシング本体１の外側で部分１２ｂに隣り合う空間は、上記冷媒配管の接続作業を行うための作業スペースとして利用することができる。
【００５２】
また、上記ケーシング本体１の第２壁部１２における第２熱交換部４２側の部分と、熱交換器４０の第２熱交換部４２の先端との間に、ドレンポンプ７０を配置するので、ドレンポンプ７０をケーシング本体１外に配置しなくて済む。したがって、ケーシング本体１の周囲の必要スペースの増大を防ぐことができる。
【００５３】
また、上記熱交換器４０の第２熱交換部４２の先端と熱交換器４０の第３熱交換部４３の先端とを仕切板５０で連結することにより、ターボファン３０からの吹出空気を第１,第３熱交換部４３へ流して、ターボファン３０の吹出空気と第１,第３熱交換部４３との熱交換効率を上げることができる。
【００５４】
［第２実施形態］
図６は、この発明の第２実施形態の空気調和機の室内機の下面図を模式的に示している。この図６では、室内機は、パネル２、ドレンパン６０などを外した状態にしている。また、図６において、図５の構成部と同一の構成部は、図５の構成部の参照番号と同一の参照番号が付されている。
【００５５】
この第２実施形態の室内機は、上記第１実施形態のケーシング本体１とは異なる形状のケーシング本体２０１を備えている。このケーシング本体２０１は、第１壁部１１に対向する第２壁部２１２と、第１壁部１１と第２壁部２１２との間に設けられて第３壁部１３に対向する第４壁部２１４とを有する。この第３，第４壁部１３，２１４の吹出口１０側の端は、第１壁部１１に連なる。一方、第３，第４壁部１３，２１４において吹出口１０とは反対側の端は、第２壁部２１２に連なる。
【００５６】
第４壁部２１４は、第１壁部１１側の部分２１４ａよりも、第２壁部２１２側の部分２１４ｂの方が、第３壁部１３側に位置するように、形状が定められている。すなわち、第４壁部２１４において配管接続部５，６が設けられている部分２１４ｂは、第３壁部１３側に凹んでいる。なお、第４壁部２１４の第２壁部２１２側の部分２１４ｂは、ケーシングの第４壁部における第２延在部の先端側の部分の一例である。
【００５７】
上記構成の室内機は、上記第１実施形態の室内機と同様の作用効果を奏する。
【００５８】
また、ケーシング本体２０１の第４壁部２１４における第２壁部２１２側の部分２１４ｂは、ケーシング本体２０１の第３壁部１３に向かって凹んでいるので、製品サイズの大型化を防ぐことができる。
【００５９】
また、ケーシング本体２０１の第４壁部２１４における第２壁部２１２側の部分２１４ｂに、冷媒配管接続部５，６を設けるので、ケーシング本体２０１の外側で部分２１４ｂに隣り合う空間に冷媒配管接続部５，６の略全部を収容することができる。
【００６０】
また、ケーシング本体２０１の外側から冷媒配管接続部５，６に冷媒配管を接続する場合、ケーシング本体２０１の外側で部分２１４ｂに隣り合う空間は、上記冷媒配管の接続作業を行うための作業スペースとして利用することができる。
【００６１】
上記第１，第２実施形態では、ケーシング本体１，２０１、パネル２およびグリル３で構成された直方体形状のケーシングを備えた室内機について説明したが、ケーシングの形状はこれに限らない。
【００６２】
また、上記第１，第２実施形態では、天井埋め込み型の室内機について説明したが、室内機はこれに限らず、天吊り型の室内機にこの発明を適用してもよい。
【００６３】
また、上記第１,第２実施形態では、室内機は、熱交換器４０を経由した空気が一方向に吹き出すように、吹出口１０を有していたが、熱交換器４０を経由した空気が二方向または三方向に吹き出すように、吹出口を有してもよい。
【００６４】
この発明の具体的な実施の形態について説明したが、この発明は上記第１,第２実施形態に限定されるものではなく、この発明の範囲内で種々変更して実施することができる。例えば、上記第１，第２実施形態で記載した内容を適宜組み合わせたものを、この発明の一実施形態としてもよい。
【符号の説明】
【００６５】
１,２０１  ケーシング本体
１ａ  吸込口
２  パネル
３  グリル
４  フィルタ
５,６  配管接続部
７  ドレンソケット
８  電装品部
１０  吹出口
１１  第１壁部
１２,２１２  第２壁部
１３  第３壁部
１４,２１４  第４壁部
２０  フラップ
３０  ターボファン
３１  モータ
３２  ベルマウス
４０  熱交換器
４１  第１熱交換部
４２  第２熱交換部
４３  第３熱交換部
５０  仕切板
６０  ドレンパン
７０  ドレンポンプ
【図１】
2018197636.tif 000003
【図２】
2018197636.tif 000004
【図３】
2018197636.tif 000005
【図４】
2018197636.tif 000006
【図５】
2018197636.tif 000007
【図６】
2018197636.tif 000008
【手続補正書】
【提出日】平成30年8月21日(2018.8.21)
【手続補正１】
【補正対象書類名】特許請求の範囲
【補正対象項目名】全文
【補正方法】変更
【補正の内容】
【特許請求の範囲】
【請求項１】
互いに対向する第１，第２壁部(１１,１２)と、上記第１壁部(１１)と上記第２壁部(１２)との間に設けられて互いに対向する第３，第４壁部(１３,１４)とを有するケーシング(１,２,３)と、
上記ケーシング(１,２,３)内に配置された遠心ファン(３０)と、
上記ケーシング(１,２,３)の上記第１壁部(１１)、第３壁部(１３)および第４壁部(１４)と上記遠心ファン(３０)との間に配置された熱交換器(４０)と、
ドレンポンプ(７０)と
を備え、
上記熱交換器(４０)は、
上記ケーシング(１,２,３)の上記第３壁部(１３)側に位置して、上記ケーシング(１,２,３)の上記第１壁部(１１)側から上記第２壁部(１２)側に向かって延在する第１延在部(４２)と、
上記ケーシング(１,２,３)の上記第４壁部(１４)側に位置して、上記ケーシング(１,２,３)の上記第１壁部(１１)側から上記第２壁部(１２)側に向かって延在する第２延在部(４３)と
を有し、
上記熱交換器(４０)の上記第２延在部(４３)の先端よりも、上記熱交換器(４０)の上記第１延在部(４２)の先端が、上記ケーシング(１,２,３)の上記第２壁部(１２)側に位置し、
上記ケーシング(１,２,３)の上記第２壁部(１２)は、
上記第３壁部(１３)側に配置された第１部分(１２ａ)と、
上記第４壁部(１４)側に配置されて、上記第１壁部(１１)との間の距離が上記第１部分(１２ａ)と上記第１壁部(１１)との間の距離より短い第２部分(１２ｂ)と、
上記第１部分(１２ａ)と上記第２部分(１２ｂ)との間に設けられて、上記第１部分(１２ａ)と上記第２部分(１２ｂ)とを繋ぐ中間部(１２ｃ)と
を有し、
上記熱交換器(４０)の上記第２延在部に冷媒配管(８５,８６)を介して接続された冷媒配管接続部(５,６)は、上記第２壁部(１２)の上記第２部分(１２ｂ)に取り付けられて、上記第２壁部(１２)の上記第２部分(１２ｂ)から上記ケーシング(１,２,３)の外側へ突出し、
上記ドレンポンプ(７０)は、上記第２壁部(１２)の上記第２部分(１２ｂ)に平行に上記第２壁部(１２)の上記第２部分(１２ｂ)から上記第３壁部(１３)へ延ばした仮想線と、上記第２壁部(１２)の上記第１部分(１２ａ)との間に設けられた領域に配置されていることを特徴とする空気調和機の室内機。
【請求項２】
互いに対向する第１，第２壁部(１１,２１２)と、上記第１壁部(１１)と上記第２壁部(２１２)との間に設けられて互いに対向する第３，第４壁部(１３,２１４)とを有するケーシング(２,３,２０１)と、
上記ケーシング(２,３,２０１)内に配置された遠心ファン(３０)と、
上記ケーシング(２,３,２０１)の上記第１壁部(１１)、第３壁部(１３)および第４壁部(２１４)と上記遠心ファン(３０)との間に配置された熱交換器(４０)と、
ドレンポンプ(７０)と
を備え、
上記熱交換器(４０)は、
上記ケーシング(２,３,２０１)の上記第３壁部(１３)側に位置して、上記ケーシング(２,３,２０１)の上記第１壁部(１１)側から上記第２壁部(２１２)側に向かって延在する第１延在部(４２)と、
上記ケーシング(２,３,２０１)の上記第４壁部(２１４)側に位置して、上記ケーシング(２,３,２０１)の上記第１壁部(１１)側から上記第２壁部(２１２)側に向かって延在する第２延在部(４３)と
を有し、
上記熱交換器(４０)の上記第２延在部(４３)の先端よりも、上記熱交換器(４０)の上記第１延在部(４２)の先端が、上記ケーシング(２,３,２０１)の上記第２壁部(２１２)側に位置し、
上記ケーシング(２,３,２０１)の上記第４壁部(２１４)は、
上記第１壁部(１１)側に配置された第１部分(２１４ａ)と、
上記第２壁部(２１２)側に配置されて、上記第３壁部(１３)との間の距離が上記第１部分(２１４ａ)と上記第３壁部(１３)との間の距離より短い第２部分(２１４ｂ)と、
上記第１部分(２１４ａ)と上記第２部分(２１４ｂ)との間に設けられて、上記第１部分(２１４ａ)と上記第２部分(２１４ｂ)とを繋ぐ中間部と
を有し、
上記熱交換器(４０)の上記第２延在部(４３)に冷媒配管（８５,８６）を介して接続された冷媒配管接続部(５,６)は、上記第４壁部(２１４)の上記第２部分(２１４ｂ)に取り付けられて、上記第４壁部(２１４)の上記第２部分(２１４ｂ)から上記ケーシング(２,３,２０１)の外側へ突出し、
上記ドレンポンプ(７０)は、上記第４壁部(２１４)の上記中間部に平行に上記第４壁部(２１４)の上記中間部から上記第３壁部(１３)へ延ばした仮想線と、上記第２壁部(２１２)との間に設けられた領域に配置されていることを特徴とする空気調和機の室内機。
【請求項３】
請求項１または２に記載の空気調和機の室内機において、
上記熱交換器(４０)と一緒に遠心ファン(３０)を囲むと共に、上記熱交換器(４０)の上記第１延在部(４２)の先端と上記熱交換器(４０)の上記第２延在部(４３)の先端とを連結する仕切部(５０)を備えることを特徴とする空気調和機の室内機。
【手続補正２】
【補正対象書類名】明細書
【補正対象項目名】全文
【補正方法】変更
【補正の内容】
【発明の詳細な説明】
【技術分野】
【０００１】
この発明は、空気調和機の室内機に関する。
【背景技術】
【０００２】
従来、空気調和機の室内機としては、ケーシング内に配置され、平面視形状がコの字形状である熱交換器を備えたものがある(例えば特開２０１５−８１６９２号公報(特許文献１)参照)。
【０００３】
より詳しくは、上記熱交換器は、互いに平行に延在する第１,第２熱交換部を有する。この第１,第２熱交換部の各先端は、ケーシングの４つの壁部のうちの一つに対向する。この一つの壁部と第１熱交換部の先端との間の距離は、上記壁部と第２熱交換部の先端との間の距離と同じである。別の言い方をすると、上記壁部は、第１,第２熱交換部の各先端との間の距離が一定となるように、上記延在方向と直交する方向に延在している。
【先行技術文献】
【特許文献】
【０００４】
【特許文献１】特開２０１５−８１６９２号公報
【発明の概要】
【発明が解決しようとする課題】
【０００５】
上記従来の空気調和機の室内機では、上記ケーシングの一つの壁部は、第１,第２熱交換部の両先端との間の距離が一定となるように形成されるため、ケーシングにおいて上記壁部とは反対側の他の壁部との距離を縮めることができず、ケーシングを小型化できないとういう問題あった。
【０００６】
そこで、この発明の課題は、ケーシングを小型化できる空気調和機の室内機を提供することにある。
【課題を解決するための手段】
【０００７】
この発明の一態様に係る空気調和機の室内機は、
互いに対向する第１，第２壁部と、上記第１壁部と上記第２壁部との間に設けられて互いに対向する第３，第４壁部とを有するケーシングと、
上記ケーシング内に配置された遠心ファンと、
上記ケーシングの上記第１壁部、第３壁部および第４壁部と上記遠心ファンとの間に配置された熱交換器と
を備え、
上記熱交換器は、
上記ケーシングの上記第３壁部側に位置して、上記ケーシングの上記第１壁部側から上記第２壁部側に向かって延在する第１延在部と、
上記ケーシングの上記第４壁部側に位置して、上記ケーシングの上記第１壁部側から上記第２壁部側に向かって延在する第２延在部と
を有し、
上記熱交換器の上記第２延在部の先端よりも、上記熱交換器の上記第１延在部の先端が、上記ケーシングの上記第２壁部側に位置し、
上記ケーシングの上記第２壁部は、
上記第３壁部側に配置された第１部分と、
上記第４壁部側に配置されて、上記第１壁部との間の距離が上記第１部分と上記第１壁部との間の距離より短い第２部分と、
上記第１部分と上記第２部分との間に設けられて、上記第１部分と上記第２部分とを繋ぐ中間部と
を有し、
上記熱交換器の上記第２延在部に冷媒配管を介して接続された冷媒配管接続部は、上記第２壁部の上記第２部分に取り付けられて、上記第２壁部の上記第２部分から上記ケーシングの外側へ突出し、
上記ドレンポンプは、上記第２壁部の上記第２部分に平行に上記第２壁部の上記第２部分から上記第３壁部へ延ばした仮想線と、上記第２壁部の上記第１部分との間に設けられた領域に配置されている。
【０００８】
上記構成によれば、上記熱交換器の第２延在部の先端よりも、熱交換器の第１延在部の先端が、ケーシングの第２壁部側に位置するので、熱交換器の第１延在部の先端よりも、熱交換器の第２延在部の先端が、ケーシングの第１壁部側に位置する。したがって、例えば、上記ケーシングの第２壁部における第２延在部側の部分を、ケーシングの第１壁部側に向かって凹ませることができる。また、例えば、上記ケーシングの第４壁部における第２延在部の先端側の部分を、ケーシングの第１壁部側に向かって凹ませることができる。したがって、上記ケーシングを小型化することができる。
【０００９】
【００１０】
また、上記ケーシングの第２壁部における第２延在部側の部分は、ケーシングの第１壁部側に向かって凹ませてことができる。したがって、上記ケーシングの第２壁部における第２延在部側の部分に、冷媒配管が接続される冷媒配管接続部を設けることにより、ケーシングの第２壁部の他の部分よりも、冷媒配管接続部が外側（第１壁部とは反対側）に大きく突出するのを防ぐことができる。
また、上記ケーシングの第２壁部における第１延在部側の部分と、熱交換器の第１延在部の先端との間に、ドレンポンプを配置することにより、ドレンポンプをケーシング外に配置しなくてもよい。したがって、上記ケーシングの周囲の必要スペースの増大を防ぐことができる。
【００１１】
この発明の一態様に係る空気調和機の室内機は、
互いに対向する第１，第２壁部と、上記第１壁部と上記第２壁部との間に設けられて互いに対向する第３，第４壁部とを有するケーシングと、
上記ケーシング内に配置された遠心ファンと、
上記ケーシングの上記第１壁部、第３壁部および第４壁部と上記遠心ファンとの間に配置された熱交換器と、
ドレンポンプと
を備え、
上記熱交換器は、
上記ケーシングの上記第３壁部側に位置して、上記ケーシングの上記第１壁部側から上記第２壁部側に向かって延在する第１延在部と、
上記ケーシングの上記第４壁部側に位置して、上記ケーシングの上記第１壁部側から上記第２壁部側に向かって延在する第２延在部と
を有し、
上記熱交換器の上記第２延在部の先端よりも、上記熱交換器の上記第１延在部の先端が、上記ケーシングの上記第２壁部側に位置し、
上記ケーシングの上記第４壁部は、
上記第１壁部側に配置された第１部分と、
上記第２壁部側に配置されて、上記第３壁部との間の距離が上記第１部分と上記第３壁部との間の距離より短い第２部分と、
上記第１部分と上記第２部分との間に設けられて、上記第１部分と上記第２部分とを繋ぐ中間部と
を有し、
上記熱交換器の上記第２延在部に冷媒配管を介して接続された冷媒配管接続部は、上記第４壁部の上記第２部分に取り付けられて、上記第４壁部の上記第２部分から上記ケーシングの外側へ突出し、
上記ドレンポンプは、上記第４壁部の上記中間部に平行に上記第４壁部の上記中間部から上記第３壁部へ延ばした仮想線と、上記第２壁部との間に設けられた領域に配置されている。
【００１２】
上記構成によれば、上記熱交換器の第２延在部の先端よりも、熱交換器の第１延在部の先端が、ケーシングの第２壁部側に位置するので、熱交換器の第１延在部の先端よりも、熱交換器の第２延在部の先端が、ケーシングの第１壁部側に位置する。したがって、例えば、上記ケーシングの第２壁部における第２延在部側の部分を、ケーシングの第１壁部側に向かって凹ませることができる。また、例えば、上記ケーシングの第４壁部における第２延在部の先端側の部分を、ケーシングの第１壁部側に向かって凹ませることができる。したがって、上記ケーシングを小型化することができる。
また、上記ケーシングの第４壁部における第２延在部の先端側の部分は、ケーシングの第３壁部側に向かって凹ませることができる。したがって、上記ケーシングの第４壁部における第２延在部の先端側の部分に、冷媒配管が接続される冷媒配管接続部が設けることにより、ケーシングの第４壁部の他の部分よりも、冷媒配管接続部が外側（第３壁部とは反対側）に大きく突出するのを防ぐことができる。
【００１３】
【００１４】
また、上記ケーシングの第２壁部における第１延在部側の部分と、熱交換器の第１延在部の先端との間に、ドレンポンプを配置することにより、ドレンポンプをケーシング外に配置しなくてもよい。したがって、上記ケーシングの周囲の必要スペースの増大を防ぐことができる。
【００１５】
一実施形態の空気調和機の室内機は、
上記熱交換器と一緒に遠心ファンを囲むと共に、上記熱交換器の上記第１延在部の先端と上記熱交換器の上記第２延在部の先端とを連結する仕切部を備える。
【００１６】
上記実施形態によれば、上記熱交換器の第１延在部の先端と熱交換器の第２延在部の先端とを仕切部で連結することにより、遠心ファンの吹出空気を第１,第２延在部へ流して、遠心ファンの吹出空気と第１,第２延在部との熱交換効率を上げることができる。
【発明の効果】
【００１７】
この発明は、ケーシングを小型化できる空気調和機の室内機を提供できる。
【図面の簡単な説明】
【００１８】
【図１】この発明の第１実施形態の空気調和機の室内機の斜視図である。
【図２】上記室内機の他の斜視図である。
【図３】上記室内機の下面図である。
【図４】図３のIV−IV線矢視の断面図である。
【図５】上記室内機からパネルやドレンパンなどを外した状態を示す下面図である。
【図６】この発明の第２実施形態の空気調和機の室内機からパネルやドレンパンなどを外した状態を示す模式下面図である。
【発明を実施するための形態】
【００１９】
以下、この発明の空気調和機の室内機を図示の実施の形態により詳細に説明する。
【００２０】
〔第１実施形態〕
図１は、この発明の第１実施形態の空気調和機の室内機の斜め下方から見た斜視図を示している。また、図２は、上記室内機を斜め上方から見た斜視図を示している。
【００２１】
この第１実施形態の室内機は、天井埋め込み型の室内機であって、図１，図２に示すように、ケーシング本体１と、このケーシング本体１の下側に取り付けられた矩形状のパネル２と、このパネル２に着脱可能に取り付けられたグリル３とを備えている。なお、ケーシング本体１、パネル２およびグリル３は、ケーシングの一例を構成している。
【００２２】
上記ケーシング本体１の側壁からは、配管接続部５,６およびドレンソケット７が突出している。この配管接続部５,６には、ケーシング本体１の外部側から冷媒配管(図示せず)が接続される。また、ドレンソケット７には、ケーシング本体１の外部側からドレンホース(図示せず)が接続される。
【００２３】
また、上記ケーシング本体１の側壁には、配管接続部５,６およびドレンソケット７と隣り合うように、電装品部８が設けられている。
【００２４】
上記パネル２では、グリル３の長手方向の一方側に位置するように、かつ、パネル２の外縁の短辺に沿うように、吹出口１０が設けられている。また、パネル２には、吹出口１０を開閉するフラップ２０が回動可能に取り付けられている。なお、図１では、フラップ２０により吹出口１０が閉じられた状態が示されている。
【００２５】
また、この第１実施形態の室内機は、吊り金具１０１，１０２，１０３，１０４（吊り金具１０４は図５に示す）を備えている。この吊り金具１０１，１０２，１０３，１０４は、天井裏の例えば躯体から垂下する吊りボルト（図示せず）に固定される。これにより、上記室内機は天井から吊り下げられた状態になる。
【００２６】
図３は上記室内機の下面図を示している。この図３において、図１，図２の構成部と同一の構成部は、図１，図２の構成部の参照番号と同一の参照番号が付されている。
【００２７】
吹出口１０は、下から見た形状がコの字形状を呈する開口である。より詳しくは、吹出口１０は、パネル２の外縁のうちの一つの短辺と、パネル２の外縁のうちの二つの長辺とに沿うような形状を有している。また、フラップ２０は、吹出口１０の閉鎖時に下から見た形状がコの字形状を呈するように形成されている。
【００２８】
また、ケーシング本体１（図１，図２に示す）の中央部分には吸込口１ａが設けられている。この吸込口１ａとグリル３との間には、フィルタ４（図４に示す）が配置されている。
【００２９】
図４は、図３のIV−IV線から見た断面図を示している。この図４において、図１〜図３の構成部と同一の構成部は、図１〜図３の構成部の参照番号と同一の参照番号が付されている。
【００３０】
ケーシング本体１内にはターボファン３０が配置されている。このターボファン３０は、モータ３１によって駆動されて、所定の回転方向に回転する。ここで、ターボファン３０を下から見た場合、上記所定の回転方向は、反時計回りの方向と一致する。なお、ターボファン３０は遠心ファンの一例である。
【００３１】
ケーシング本体１の吸込口１ａとターボファン３０との間には、ベルマウス３２が配置されている。ターボファン３０は、ベルマウス３２内の空間を介して、室内空気を吸い込む。
【００３２】
また、ケーシング本体１内には、熱交換器４０と仕切板５０がターボファン３０の周囲に配置されている。ターボファン３０の吹出空気は、熱交換器４０を経由した後、吹出口１０へ向かって流れる。このとき、仕切板５０はターボファン３０の吹出空気を熱交換器４０に案内する。なお、仕切板５０は仕切部の一例である。また、仕切部はケーシング本体１の一部からなってもよい。
【００３３】
さらに、ケーシング本体１内には、ドレンパン６０が熱交換器４０の下側から仕切板５０の下側に渡って配置されている。これにより、熱交換器４０および仕切板５０で生じた結露水をドレンパン６０で受けることが可能になっている。
【００３４】
また、ケーシング本体１内には、ターボファン３０からの吹出空気をパネル２の吹出口１０に案内する通風路Ｐが形成されている。
【００３５】
図５は、パネル２、ドレンパン６０などを外した状態の室内機の下面図を示している。
【００３６】
ケーシング本体１は、吹出口１０側の第１壁部１１と、この第１壁部１１に対向する第２壁部１２と、第１壁部１１と第２壁部１２との間に設けられて互いに対向する第３，第４壁部１３，１４とを有する。この第３，第４壁部１３，１４の吹出口１０側の端は、第１壁部１１に連なる。一方、第３，第４壁部１３，１４において吹出口１０とは反対側の端は、第２壁部１２に連なる。
【００３７】
また、第２壁部１２は、第３壁部１３側の部分１２ａよりも、第４壁部１４側の部分１２ｂの方が、第１壁部１１側に位置するように、形状が定められている。すなわち、第２壁部１２において配管接続部５，６が設けられている部分１２ｂは、第１壁部１１側に凹んでいる。また、部分１２ａと部分１２ｂの間の中間部１２は、部分１２ａ，１２ｂが延在する方向に対して傾斜している。なお、第２壁部１２の第３壁部１３側の部分１２ａは、ケーシングの第２壁部における第１延在部側の部分の一例である。また、第２壁部１２の第４壁部１４側の部分１２ｂは、ケーシングの第２壁部における第２延在部側の部分の一例である。
【００３８】
熱交換器４０は、ケーシング本体１の第１壁部１１、第３壁部１３および第４壁部１４とターボファン３０との間に配置されている。
【００３９】
より詳しくは、熱交換器４０は、第１熱交換部４１、第２熱交換部４２および第３熱交換部４３を有する。この第１熱交換部４１、第２熱交換部４２および第３熱交換部４３は、互いに一体に形成されている。なお、第２熱交換部４２は第１延在部の一例である。また、第３熱交換部４３は第２延在部の一例である。また、第１熱交換部４１、第２熱交換部４２および第３熱交換部４３は、別体に形成されて、例えば互いに間隔をあけて配置されてもよい。
【００４０】
第１熱交換部４１は、第１壁部１１に沿うように形成され、ケーシング本体１の第１壁部１１に対向する。
【００４１】
第２熱交換部４２は、ケーシング本体１の第３壁部１３に対向し、第１壁部１１側から第２壁部１２側に向かって延在する。この第２熱交換部４２は、第１熱交換部４１に対してターボファン３０の回転方向の上流側に位置する。また、第２熱交換部４２の先端と、第２壁部１２の第３壁部１３側の部分との間には、ドレンポンプ７０が配置されている。
【００４２】
ドレンポンプ７０は、ドレンパン６０に溜まった結露水などを吸い込み、この吸い込んだ結露水などをドレンソケット７側に吐出する。すなわち、ドレンポンプ７０は、ケーシング本体１内の結露水などを、ケーシング本体１外に排出するためのポンプである。
【００４３】
第３熱交換部４３は、ケーシング本体１の第４壁部１４に対向し、第１壁部１１側から第２壁部１２側に向かって延在する。この第３熱交換部４３は、第１熱交換部４１に対してターボファン３０の回転方向の下流側に位置する。この第３熱交換部４３の先端よりも、第２熱交換部４２の先端の方が第２壁部１２側に位置する。別の言い方をすると、吹出口１０から比較的遠い場所には、第２熱交換部４２の先端が配置される一方、吹出口１０から比較的近い場所には、第３熱交換部４３の先端が配置される。
【００４４】
また、第３熱交換部４３の先端と配管接続部５とは、冷媒配管８５を介して互いに接続されている。また、第３熱交換部４３の先端と配管接続部６とは、冷媒配管８６を介して互いに接続されている。
【００４５】
配管接続部５，６は、ケーシング本体１内の冷媒配管８５，８６とケーシング本体１外の冷媒配管とを連結する。この配管接続部５，６により、熱交換器４０内に冷媒を流すことが可能となっている。
【００４６】
また、第２熱交換部４２と第３熱交換部４３の間の距離は、吹出口１０から離れるのに従って長くなる。すなわち、熱交換器４０は、平面視において、コの字形状を呈するように形成されている。なお、第２熱交換部４２と第３熱交換部４３の間の距離は一定または略一定としてもよい。また、熱交換器４０は、平面視において、例えば、Ｖの字形状、円弧形状などを呈するように形成されてもよい。
【００４７】
仕切板５０は熱交換器４０と一緒にターボファン３０を囲んでいる。この仕切板５０は、熱交換器４０の第２熱交換部４２の先端と熱交換器４０の第３熱交換部４３の先端とを連結する。
【００４８】
上記構成の室内機によれば、熱交換器４０の第３熱交換部４３の先端よりも、熱交換器４０の第２熱交換部４２の先端が、ケーシング本体１の第２壁部１２側に位置するので、熱交換器４０の第２熱交換部４２の先端よりも、熱交換器４０の第３熱交換部４３の先端が、ケーシング本体１の第１壁部１１側に位置する。これにより、ケーシング本体１の第２壁部１２における第４壁部１４側の部分１２ｂを、ケーシング本体１の第１壁部１１に向かって凹ませて、ケーシング本体１の第２壁部１２の形状を屈曲板形状にすることができている。したがって、上記ケーシング本体１を小型化することができる。
【００４９】
また、ケーシング本体１の第２壁部１２における第４壁部１４側の部分１２ｂは、ケーシング本体１の第１壁部１１に向かって凹んでいるので、製品サイズの大型化を防ぐことができる。
【００５０】
また、ケーシング本体１の第２壁部１２における第４壁部１４側の部分１２ｂに、冷媒配管接続部５，６を設けるので、ケーシング本体１の外側で部分１２ｂに隣り合う空間に冷媒配管接続部５，６の略全部を収容することができる。
【００５１】
また、ケーシング本体１の外側から冷媒配管接続部５，６に冷媒配管を接続する場合、ケーシング本体１の外側で部分１２ｂに隣り合う空間は、上記冷媒配管の接続作業を行うための作業スペースとして利用することができる。
【００５２】
また、上記ケーシング本体１の第２壁部１２における第２熱交換部４２側の部分と、熱交換器４０の第２熱交換部４２の先端との間に、ドレンポンプ７０を配置するので、ドレンポンプ７０をケーシング本体１外に配置しなくて済む。したがって、ケーシング本体１の周囲の必要スペースの増大を防ぐことができる。
【００５３】
また、上記熱交換器４０の第２熱交換部４２の先端と熱交換器４０の第３熱交換部４３の先端とを仕切板５０で連結することにより、ターボファン３０からの吹出空気を第１,第３熱交換部４３へ流して、ターボファン３０の吹出空気と第１,第３熱交換部４３との熱交換効率を上げることができる。
【００５４】
［第２実施形態］
図６は、この発明の第２実施形態の空気調和機の室内機の下面図を模式的に示している。この図６では、室内機は、パネル２、ドレンパン６０などを外した状態にしている。また、図６において、図５の構成部と同一の構成部は、図５の構成部の参照番号と同一の参照番号が付されている。
【００５５】
この第２実施形態の室内機は、上記第１実施形態のケーシング本体１とは異なる形状のケーシング本体２０１を備えている。このケーシング本体２０１は、第１壁部１１に対向する第２壁部２１２と、第１壁部１１と第２壁部２１２との間に設けられて第３壁部１３に対向する第４壁部２１４とを有する。この第３，第４壁部１３，２１４の吹出口１０側の端は、第１壁部１１に連なる。一方、第３，第４壁部１３，２１４において吹出口１０とは反対側の端は、第２壁部２１２に連なる。
【００５６】
第４壁部２１４は、第１壁部１１側の部分２１４ａよりも、第２壁部２１２側の部分２１４ｂの方が、第３壁部１３側に位置するように、形状が定められている。すなわち、第４壁部２１４において配管接続部５，６が設けられている部分２１４ｂは、第３壁部１３側に凹んでいる。なお、第４壁部２１４の第２壁部２１２側の部分２１４ｂは、ケーシングの第４壁部における第２延在部の先端側の部分の一例である。
【００５７】
上記構成の室内機は、上記第１実施形態の室内機と同様の作用効果を奏する。
【００５８】
また、ケーシング本体２０１の第４壁部２１４における第２壁部２１２側の部分２１４ｂは、ケーシング本体２０１の第３壁部１３に向かって凹んでいるので、製品サイズの大型化を防ぐことができる。
【００５９】
また、ケーシング本体２０１の第４壁部２１４における第２壁部２１２側の部分２１４ｂに、冷媒配管接続部５，６を設けるので、ケーシング本体２０１の外側で部分２１４ｂに隣り合う空間に冷媒配管接続部５，６の略全部を収容することができる。
【００６０】
また、ケーシング本体２０１の外側から冷媒配管接続部５，６に冷媒配管を接続する場合、ケーシング本体２０１の外側で部分２１４ｂに隣り合う空間は、上記冷媒配管の接続作業を行うための作業スペースとして利用することができる。
【００６１】
上記第１，第２実施形態では、ケーシング本体１，２０１、パネル２およびグリル３で構成された直方体形状のケーシングを備えた室内機について説明したが、ケーシングの形状はこれに限らない。
【００６２】
また、上記第１，第２実施形態では、天井埋め込み型の室内機について説明したが、室内機はこれに限らず、天吊り型の室内機にこの発明を適用してもよい。
【００６３】
また、上記第１,第２実施形態では、室内機は、熱交換器４０を経由した空気が一方向に吹き出すように、吹出口１０を有していたが、熱交換器４０を経由した空気が二方向または三方向に吹き出すように、吹出口を有してもよい。
【００６４】
この発明の具体的な実施の形態について説明したが、この発明は上記第１,第２実施形態に限定されるものではなく、この発明の範囲内で種々変更して実施することができる。例えば、上記第１，第２実施形態で記載した内容を適宜組み合わせたものを、この発明の一実施形態としてもよい。
【符号の説明】
【００６５】
１,２０１  ケーシング本体
１ａ  吸込口
２  パネル
３  グリル
４  フィルタ
５,６  配管接続部
７  ドレンソケット
８  電装品部
１０  吹出口
１１  第１壁部
１２,２１２  第２壁部
１３  第３壁部
１４,２１４  第４壁部
２０  フラップ
３０  ターボファン
３１  モータ
３２  ベルマウス
４０  熱交換器
４１  第１熱交換部
４２  第２熱交換部
４３  第３熱交換部
５０  仕切板
６０  ドレンパン
７０  ドレンポンプ